(57)【要約】【課題】電槽の割れ、クラック等に起因する電解液の漏れや電槽と蓋体の接着部の劣化に起因する電解液の蓄電池外部への漏出を防止できる密閉型鉛蓄電池を提供する。【解決手段】漏液防止層４の上端高さを蓋体２の上面位置より低く、セパレータの上端高さより高く設定する、あるいは、漏液防止層４の一部分が電槽１および蓋体２と非接触となり、その隙間に電解液の貯留空間を設けて蓄電池３の外部への電解液漏出を防止できる漏液防止層を備えた密閉型鉛蓄電池とする。漏液防止層４と密閉型鉛蓄電池３の隙間に電解液の中和剤６を保持させれば、電解液漏出が発生しても中和剤６により蓄電池外部設備の損傷を防ぎ、中和剤６に電解液との接触で変色する特性を持たせれば、変色を視認することができ、遅延なく対処が可能となる。【選択図】  図３
2013168223.tif 000002
【特許請求の範囲】
【請求項１】
正負両極板間に配置したセパレータに電解液を含浸させた極板群が、上方に開口を有する電槽に収納され、前記電槽の開口を閉塞する蓋体を備え、前記電槽の底面を含む外周および前記蓋体の外周に、前記電解液に対する耐性を有し、電解液を透過させない機能を持った漏液防止層を設け、前記漏液防止層の上端高さを、蓋体上面位置よりも低く、セパレータの上端高さより高い位置に設定した密閉型鉛蓄電池。
【請求項２】
請求項１において、漏液防止層の材質が、ポリプロピレン製又はポリエチレン製である密閉型鉛蓄電池。
【請求項３】
請求項１又は２において、漏液防止層の一部分が電槽および蓋体と非接触となり、漏液防止層と電槽の隙間に、前記セパレータに含浸させた電解液量のうち、所定量の電解液を溜めることができる空間を設けた密閉型鉛蓄電池。
【請求項４】
請求項１〜３の何れかにおいて、電槽と漏液防止層の間に設けられた空間内に、電解液の中和剤を保持する密閉型鉛蓄電池。
【請求項５】
請求項４において、電槽底面と漏液防止層の間に設けられた空間内に、電解液の中和剤を保持する密閉型鉛蓄電池。
【請求項６】
請求項４又は５において、電解液の中和剤が、電解液と接触することにより変色する機能を持ち、この変色を視認できるように、漏液防止層が透明あるいは半透明の特性を有する密閉型鉛蓄電池。
【発明の詳細な説明】
【技術分野】
【０００１】
本発明は、電槽および蓋体の外周に電解液を透過させない漏液防止層を設けた密閉型鉛蓄電池に関する。
【背景技術】
【０００２】
密閉型鉛蓄電池は、安価で信頼性が高いという特徴を有するため、無停電電源装置等の非常用電源設備や電力貯蔵用として使用されている。密閉型鉛蓄電池は、電槽と、この電槽内に正負極板および正負極板間に配置したセパレータに電解液を含浸させた極板群とを備え、極板群と電解液の化学反応により充放電を行う。そして、所定の容量、電圧を得るために複数の単電池を直列、並列に通電板を用いて接続し、ラックに積載して組電池として使用される。
また、密閉型鉛蓄電池は、内部に電解液を保有することから、この電解液が漏出しないようにすることが重要であり、万一電槽のひび割れ等で電解液が漏れ出したときは、早急に修復を行い蓄電池の短絡や蓄電池周辺設備の損傷等が起こらないようにする必要がある。
密閉型鉛蓄電池に使用される電槽は、ポリプロピレン、ＡＢＳ等の樹脂製のものが広く使用されている。これらの樹脂性電槽は、電解液（主に希硫酸）に対して、十分な耐性を有し、電解液の透過率が小さく、耐衝撃性も比較的高いことから、電槽の割れ、クラックに起因する電解液の漏れが発生する事例が少ないため、古くから使用されており、他の材質のものはあまり見受けられない。
密閉型鉛蓄電池の電解液漏出を防止する方法として、下記に示す特許文献１があり、水分を透過させない透明フィルムを、電槽の外周面に配置することが提示されている。
【先行技術文献】
【特許文献】
【０００３】
【特許文献１】特開２００１−３３８６９８号公報
【発明の概要】
【発明が解決しようとする課題】
【０００４】
電槽材料として優れた機能を有するポリプロピレン及びＡＢＳであるが、その特性は、長期間にわたる外部からの応力、紫外線暴露、電解液との接触等により徐々に劣化する。また、環境温度の変化、充放電時の温度上昇による繰り返しの応力、正極板の腐食が進行することに起因する正極板の伸びによる電槽内部からの応力も加わり、設計寿命よりも短時間で樹脂劣化が進み、脆化が起こる可能性がある。そして、小さな応力や衝撃が加わるだけで電槽にクラックや割れが発生し、電解液の漏れが発生する恐れがある。
種々の原因により電解液が漏れ出すことを想定したときの簡便な対策として、密閉型鉛蓄電池底面とこの密閉型鉛蓄電池の設置面との間に、耐薬品性を持つシートや、このシートの四方を折り曲げてトレー型にしたものを設置する方法があるが、漏れ出した電解液量が多い場合は、これらのシートやトレーから電解液が溢れ出し、蓄電池の短絡、蓄電池周辺設備の腐食等を防止することができない。また、電解液の漏れ出した密閉型鉛蓄電池を交換する場合に、電解液が作業員の衣服、身体に付着する恐れがあり、安全な作業が困難となる。
【０００５】
また、先に述べた特許文献１に示されるものは、フィルムの配置位置が、電槽外周面となっており、蓋体と電槽の境界部を含む蓋体側には配置されないため、電槽と蓋体との接着部の劣化により発生する、電槽と蓋体の境界部からの電解液の漏れを防止する効果は見込めない。また、電槽の割れ、クラック等に起因して漏れ出した電解液が、毛細管現象によりフィルム上端部より蓄電池外部へ漏出する恐れがある。
本発明は、電槽の割れ、クラック等に起因する電解液の漏れや、電槽と蓋体の接着部の劣化に起因する電槽と蓋体の境界部から発生する電解液の漏れが、蓄電池の外部周辺へ広がることを防止することができる密閉型鉛蓄電池を提供することを目的とする。
【課題を解決するための手段】
【０００６】
本発明は、以下のものに関する。
（１）正負極板間に配置したセパレータに電解液を含浸させた極板群が、上方に開口を有する電槽に収納され、前記電槽の開口を閉塞する蓋体を備え、前記電槽の底面を含む外周および蓋体の外周に、前記電解液に対する耐性を有し、電解液を透過させない機能を持った漏液防止層を設け、前記漏液防止層の上端高さを、蓋体上面位置よりも低く、セパレータの高さより高い位置に設定することを特徴とする密閉型鉛蓄電池。
（２）請求項１において、漏液防止層の材質が、ポリプロピレン製又はポリエチレン製であることを特徴とする密閉型鉛蓄電池。
（３）請求項１又は２において、漏液防止層の一部分が電槽および蓋体と非接触となり、漏液防止層と電槽の隙間に、前記セパレータに含浸させた電解液量のうち、所定量の電解液を溜めることができる空間を設けたことを特徴とする密閉型鉛蓄電池。
（４）請求項１〜３の何れかにおいて、電槽と漏液防止層の間に設けられた空間内に、電解液の中和剤を保持することを特徴とする密閉型鉛蓄電池。
（５）請求項４において、電槽底面と漏液防止層の間に設けられた空間内に、電解液の中和剤を保持することを特徴とする密閉型鉛蓄電池。
（６）請求項４又は５において、電解液の中和剤が、電解液と接触することにより変色する機能を持ち、この変色を視認できるように漏液防止層が透明あるいは半透明の特性を有することを特徴とした密閉型鉛蓄電池。
【発明の効果】
【０００７】
本発明によれば、漏液防止層を密閉型鉛蓄電池の底面を含む外周部に設けることにより、使用中あるいは使用後に電槽に割れやクラックが発生し、電槽から電解液が漏れ出した場合でも、漏液防止層が、電解液の蓄電池外部への漏出を防止し、蓄電池周辺設備の腐食や蓄電池の短絡を防止することができる。
特に、漏液防止層の高さを、蓋体上面よりも低く、セパレータの高さよりも高い位置としているので、電解液が漏液防止層上端を超えて漏れ出すことがなく、漏れた液が蓋体上面に溢れて電極同士を短絡させることも防止できる。
漏液防止層が、ポリプロピレン又はポリエチレン製の場合は、ほとんどのオイル、潤滑剤、溶剤等に対して耐性を有することにより、特に電槽の材質をＡＢＳにしたときに、ケミカルアタック性を有するオイルや溶剤類が、電槽に付着してＡＢＳ樹脂の劣化を引き起こすことを防止する保護層としても機能する。
漏液防止層の一部分が電槽および蓋体と非接触であり、漏液防止層と電槽との間に一定量以上の電解液を貯留可能な空間を保持する場合は、電解液が蓄電池外部へ漏出する危険に対し、より安全性を高めることができる。また、漏液防止層の材質がポリプロピレン又はポリエチレンであり、電解液を目視できる程度に透明又は半透明にしたときは、電槽の割れ、クラック等に起因する漏液を容易に、速やかに視認することができる。
電槽と漏液防止層との間に、電解液の中和剤を保持する場合には、漏れ出た電解液を速やかに中和することができ、万一中和した電解液が漏液防止層の外部に漏れ出たときにも、蓄電池外部周辺機器の腐食を防止することができる。また、中和剤が、電槽底面と漏液防止層との間に保持される場合には、電槽から漏液した電解液が最も溜まり易い部分に中和剤があるので、多くの電解液を容易に中和することができる。
電解液との接触により変色する中和剤を用い、漏液防止層が、この変色を視認可能な透明又は半透明である場合は、前述した中和による効果と共に、電槽に割れやクラックが発生したことが速やかに、間違いなく視認することができ、遅滞無く処置を取ることができる。
漏液防止層は、上部が開放された状態で鉛蓄電池の底面と側周面を覆うように配置されるため、電解液に直接触れることがなく、電槽および蓋体が、蓄電池の充放電に伴う膨張収縮を繰返すことにより受ける応力や、極板の劣化に起因する極板の伸びにより受ける応力に直接影響されることがなく、上部が開放された形状を持つことにより内部歪として残留することもほとんどないため、電槽および蓋体と漏液防止層が同じ材質であっても、電槽および蓋体よりも短期間で漏液防止層に割れやクラックが発生する可能性は小さい。また、漏液防止層が電槽および蓋体と隙間を開けて配置されるときは、前記応力の影響をほとんど受けることがないため、疲労破壊や割れ等が発生する可能性は更に小さくなる。
【図面の簡単な説明】
【０００８】
【図１】本発明の実施例である密閉型鉛蓄電池の概略断面図を示す。
【図２】本発明の他の実施例である密閉型蓄電池の概略断面図を示す。
【図３】本発明の更に他の実施例である密閉型鉛蓄電池の概略断面図を示す。
【図４】本発明の更に他の実施例である密閉型鉛蓄電池の概略断面図を示す。
【図５】本発明の更に他の実施例であるシール電池の概略断面図を示す。
【図６】比較例である密閉型鉛蓄電池の概略断面図を示す。
【図７】他の比較例であるシール電池の概略断面図を示す。
【図８】更に他の比較例であるシール電池の概略断面図を示す。
【発明を実施するための形態】
【０００９】
＜密閉型鉛蓄電池＞
鉛を主原料とし、これに合金成分として、カルシウム、錫、アルミニウム等を添加して鋳造あるいはエキスパンド加工により作製した格子体に、活物質を充填して保持させた後、乾燥、熟成して作製した正負極板を、セパレータを介して交互に積層して極板群を構成する。この極板群の同極同士を接続して、それぞれ正負極のストラップを設け、電槽へ収納し、電槽の開口部を蓋体により閉じ、電解液を電槽に注入して密閉型鉛蓄電池を作製する。電槽に複数のセル室を設けるときは、各セル室内に極板群が収納され、隣接するセル室内に挿入された所定の極性のストラップの間がセル室間の隔壁を貫通して設けられたセル間接続部を介して相互に接続されることにより、所定の定格電圧と定格容量を有する鉛蓄電池が構成される。また、単セル電槽のときは、複数の電槽の端子間を通電板により並列あるいは直列に接続し、所定の電圧、容量の電池を構成することができる。
【００１０】
電槽の材質は、特に制限されるものではなく、具体的には、ポリプロピレン、ＡＢＳ、変性ＰＰＥ（ポリフェニレンエーテル）等を用いることができる。
蓋体は、先に述べた電槽の開口部を閉塞するものであれば、特に制限されるものではなく、材質についても、電槽と同じでも、異なるものでも使用することができる。
本発明にて述べる電解液は、特に限定されるものでないが、硫酸を精製水で希釈し、質量パーセント濃度で約３０質量％前後に調合したものを、電池容量・寿命等を考慮した適正な濃度に調整（特性に合わせて硫酸マグネシウム、シリカゲル等の添加剤を加える場合もある）して、注液するのが好ましい。
＜漏液防止層＞
本発明にて述べる漏液防止層は、先に述べた電槽の底面を含む外周面と、蓋体の側面に配置される。尚、蓋体の上面に漏液防止層を設けると、蓋体に設置される安全弁の働きを規制してしまうこと、また、万一電槽から電解液の漏れが発生したときに、蓋体と漏液防止層との間に電解液が貯留し、正負端子間で電解液を介した短絡が起こり得るので、漏液防止層は蓋体上面を除いた側面に配置するのが好ましい。
より詳細に述べると、本発明の漏液防止層は、その上端高さを、蓋体の上面位置よりも低く、セパレータの上端位置よりも高い位置に設定する。漏液防止層の上端高さを蓋体の上面位置より低く設置することにより、電槽から電解液の漏れが発生し、電槽あるいは蓋体と漏液防止層の界面で、万一毛細管現象による漏液面の上昇が起こった場合であっても、蓋体の上面に電解液が漏れ出すことがなく、端子間に短絡が発生することを防止することができる。また、漏液防止層の上端高さをセパレータの上端位置より高い位置に設置したときは、セパレータに含浸した電解液の位置エネルギーが最大となるセパレータ上端部より漏液防止層の上端位置が高いため、蓄電池外部への電解液漏出を抑制することができる。
【００１１】
漏液防止層の材質は、鉛蓄電池に用いる電解液に耐性を有し、この電解液を透過させないものであれば、特に限定されるものではなく、具体的には、ポリプロピレン又はポリエチレンを用いるのが好ましいが、必要とされる特性に応じて、ＰＥＴ、ＰＣ、ＰＭＭＡ等を用いることもできる。
尚、漏液防止層は、電解液の漏液時に、速やかに視認できることが好ましく、電解液を目視可能な程度に、透明又は半透明であることが好ましい。
漏液防止層は、電槽および蓋体に接するように配置しても、隙間を開けて配置しても良い。
但し、電槽および蓋体に接するように配置する場合は、電槽と漏液防止層との間に貯留できる電解液が極めて少量になることから、電解液を貯留することができる空間を少なくとも１箇所設けることが好ましく、特にセパレータの上端高さに相当する電槽側面位置から漏液防止層上端高さの間の部分に、帯状の凸部を電槽外周あるいは蓋体側面外周に沿って設け、この部分に漏液した電解液を貯留することが好ましい。このようにすることで、漏液した電解液が毛細管現象により電槽と漏液防止層の隙間を這い上がることにより発生する、漏液防止層上端部から蓄電池外部への電解液漏出を防止することができる。
【００１２】
また、漏液防止層を、電槽および蓋体に隙間を設けて配置する場合は、漏液防止層の内面と電槽および蓋体の間隔は５ｍｍ以上開けることが好ましく、所定の間隔に相当する高さのリブ又は突起を、漏液防止層の内側あるいは電槽の表面に設けることにより容易に間隔を保つようにすることができる。そして、毛細管現象による電解液の這い上がりが発生することなく、漏れ出した電解液は、まず漏液防止層の内側底部に貯留される。
尚、漏液防止層の内側あるいは電槽表面に配置するリブ又は突起の形状は、直線、波形、格子又は千鳥状に形成することができる。また、漏液防止層の内側底面角部又は内側底面周辺部所定範囲の厚みを他の部分よりも厚くして、密閉型鉛蓄電池の質量を支えることができるように形成し、電槽底部と漏液防止層に形成した漏液貯留空間の形状を保つようにすることもできる。
＜中和剤＞
本発明にて述べる中和剤は、酸性である電解液を中和できるものであれば、特に限定されるものではなく、具体的には、水酸化マグネシウム、炭酸水素ナトリウム、水酸化ナトリウム、炭酸ナトリウム、水酸化カルシウム、酸化カルシウム、炭酸カルシウム等を用いることができ、特に、水酸化マグネシウム又は炭酸水素ナトリウムは、弱アルカリ性で空気中の水分の吸収量も極微量なので扱い易く好ましい。
中和剤を用いた場合は、酸性である電解液を中性化することにより、万一蓄電池外部へ漏出したときも、周囲機器の腐食を防止することができると共に、破損した密閉型鉛蓄電池の取り替え作業、破損した電池の輸送等も安全に行うことができる。
また、中和剤は、電解液との接触により変色するものを用いることにより、より一層の漏液視認性を上げることができる。具体的には、変色剤として、ブロモチモールブルー、フェノールフタレイン、メチルオレンジ、メチルレッド等を用いることができる。
中和剤を保持する位置は、電槽および蓋体と漏液防止層との間であれば、特に限定されるものではないが、漏液した電解液の最も溜まり易い、電槽底面下部と漏液防止層内側の間に設けることが好ましく、漏液した電解液を速やかに中和することができる。
また、先に述べた、セパレータ上端位置に相当する電槽位置から漏液防止層上端位置の間の部分に設けられる、帯状の突出部内部に保持することもできる。
【実施例】
【００１３】
以下、本発明の実施例について、図面を用いて詳細に説明する。
＜実施例１＞
図１は、本発明の実施例であるシール電池の概略断面図である。
縦：１５０ｍｍ×横：５００ｍｍ×高さ：２３０ｍｍで厚みが４ｍｍの電槽１及び蓋体２が、共にＡＢＳ製である密閉型鉛蓄電池３と、材質がＰＰ製で厚みが２ｍｍ、高さが、蓋体２の上面の高さとセパレータ（図示省略）の上端の高さとの間の位置にある漏液防止層４とを準備し、漏液防止層内側の側周面に高さ５ｍｍ×幅５ｍｍのリブを５０ｍｍ間隔で設け、電槽１の側面と漏液防止層４の内側でリブのない側面部分との間隔を、５ｍｍとして、図１のように蓄電池を漏液防止層４で覆った。
尚、漏液防止層４の内面は、リブ部分を除いて平坦である。
＜実施例２＞
図２は、本発明の他の実施例である密閉型鉛蓄電池の概略断面図である。
実施例２は、先に述べた実施例１と同じ仕様で作製した蓄電池を用い、漏液防止層４のみを変更した。
本実施例にて用いる漏液防止層４は、その内部底面に凹凸形状の凹凸部８を有する。凹凸形状は、漏液防止層４の内部底面に、高さ５ｍｍの半円柱形状の波形形状を５ｍｍ間隔で配置している。
また、漏液防止層４は、内側の底面角部の厚みを厚くして形成した高さ５ｍｍの電池支え部５を有しており、漏液防止層４の内側底面に設けた凹凸形状が、密閉型鉛蓄電池３の重みで潰れないようにした。
尚、漏液防止層４の上端高さは、蓋体２の上面の高さとセパレータ（図示省略）の上端高さとの間の位置とした。
＜実施例３＞
図３は、本発明の更に他の実施例である密閉型鉛蓄電池の概略断面図である。
実施例３では、先に述べた実施例１と同じ仕様で作製した蓄電池を用い、漏液防止層４のみを変更した。
本実施例にて用いる漏液防止層４は、漏液防止層内側底面と密閉型鉛蓄電池の底面下部の間に中和剤６を配置している。中和剤６は、本実施例では顆粒状の炭酸水素ナトリウムを、漏液防止層内側の底面から約３ｍｍの高さまでに敷き詰めた。
また、漏液防止層４は、内側の底面角部の厚みを厚くして形成した高さ５ｍｍの電池支え部５を有しており、電槽の底面と漏液防止層内側底面との間の空間を保持している。
尚、漏液防止層４の上端高さは、蓋体２の上面の高さとセパレータ（図示省略）の上端高さとの間の位置とした。
＜実施例４＞
図４は、本発明の更に他の実施例である密閉型鉛蓄電池の概略断面図である。
実施例１と同じ仕様で作製した蓄電池を用い、漏液防止層を電槽および蓋体に密着させた。
尚、漏液防止層４の上端高さは、蓋体２の上面の高さとセパレータ（図示省略）の上端高さとの間の位置とした。
＜実施例５＞
図５は、本発明の他の実施例である密閉型鉛蓄電池の概略断面図である。
実施例１と同じ仕様で作製した蓄電池を用い、漏液防止層を電槽および蓋体に密着させているが、一部漏液防止層４の、蓋体２の上面の高さと、セパレータ（図示省略）の上端高さに相当する位置との間の外周部に、漏液防止層の内側から高さ５ｍｍの中空半円筒形状の這い上がり防止凸部７を所定量の電解液を溜めることができるように形成した。漏液防止層は、電槽１の底面と、這い上がり防止凸部７を除く電槽の側周面と、蓋体の側周面の一部に密着させた。
＜比較例１＞
図６は本発明の比較例である密閉型鉛蓄電池の概略断面図である。
実施例１と同じ仕様で作製した鉛蓄電池を用い、漏液防止層４を電槽１に密着させているが、漏液防止層４の上端位置を、セパレータ（図示省略）の上端高さよりも５０ｍｍ低い位置とし、上端近くの外周部に、漏液防止層４の内側から高さ５ｍｍの中空半円筒形状の這い上がり防止凸部７を所定量の電解液を溜めることができるように形成した。漏液防止層は、電槽１の底面と、這い上がり防止凸部７を除く電槽の側周面の一部に密着させた。
＜比較例２＞
図7は、他の比較例である密閉型鉛蓄電池の概略断面図である。
実施例１と同じ仕様で作製した鉛蓄電池を用い,漏液防止層４を電槽１および蓋体２に密着させ、高さを蓋体上面高さよりも５０ｍｍ高い位置とした。漏液防止層は、電槽の底面および側周面と蓋体の側周面に密着させた。
＜比較例３＞
図８は他の比較例である密閉型鉛蓄電池の概略断面図である。
比較例３は、実施例１と同じ仕様で作製した鉛蓄電池を用い、漏液防止層を設置していない。
＜評価方法＞
実施例１〜５及び比較例１〜３にて作製した鉛蓄電池の底面（電槽の底面）と、セパレータの上端高さから３０ｍｍ低い位置に相当する電槽の側面に直径１ｍｍの穴を開けることにより、割れ・クラックが発生した状態を擬似的に作り、漏液防止層の効果を評価した。
【００１４】
（電解液の漏出評価）
電槽および蓋体と漏液防止層の隙間、あるいは電槽と漏液防止層の隙間で発生する毛細管現象等により、電解液が漏液防止層の上端を越えて蓄電池外部周辺へ漏出するか否かを評価した。
評価基準は、漏液防止層の外部および蓋体上面への電解液漏出がない場合を「○」とし、電解液の漏出が僅かでも発生した場合を「×」として判定した。
【００１５】
（蓄電池外部周辺への漏出範囲評価）
電解液が漏液防止層の外部周辺に漏出し、蓄電池周辺にどの程度の面積で広がるかを評価した。
評価基準は、蓄電池周辺への電解液漏出がない場合を「○」とし、漏液範囲が９ｃｍ２以内の場合を「△」とし、漏液範囲が９ｃｍ２を超える場合を「×」とした。
【００１６】
（漏液の中和作業工数評価）
蓄電池外部へ漏出した電解液を中和する際に、どの程度の工数が掛かるかを評価した。
評価基準は、中和作業が不要もしくは容易なものを「○」とし、中和困難なものを「×」とした。
【００１７】
【表１】
2013168223.tif 000003
【００１８】
上記表１より、比較例１では漏液防止層の上端高さをセパレータの上端高さよりも低く設置しているので、セパレータに含浸した電解液の位置エネルギーが最大となるリテーナ上端部より漏液防止層の上端位置が低くなり、電解液が蓄電池外部へ漏れ出した。比較例２のように漏液防止層の高さが蓋体上面の高さよりも高いと、漏液防止層を超えて電解液が漏れ出すことは無いが、蓋体上面の、正負極端子間に電解液が広がり短絡が発生する。
更に、漏液防止層を用いていない比較例３では、漏れ出した電解液が蓄電池外部周辺を広範囲に汚染し、周辺機器を腐食させ、漏れ出た電解液の中和作業に多くの工数が掛かる。
実施例１〜５では蓄電池外部周辺への漏出は無いか、もしくは僅かであり、電解液の中和作業は不要もしくは容易となった。
また、実施例の中で、漏液防止層の一部分が電槽および蓋体と非接触である実施例１〜３は、密着させた実施例４に比べ、漏出が発生する可能性が低いことが判る。
更に、漏液防止層の内部底面及び側面を電槽に密着させているが、一部に電解液を溜める凸部を設けた実施例５は、実施例１〜３と同様に、電解液が漏出する恐れが少ない。
【符号の説明】
【００１９】
１…電槽
２…蓋体
３…密閉型鉛蓄電池
４…漏液防止層
５…電池支え部
６…中和剤
７…這い上がり防止凸部
８…凹凸部
【図１】
2013168223.tif 000004
【図２】
2013168223.tif 000005
【図３】
2013168223.tif 000006
【図４】
2013168223.tif 000007
【図５】
2013168223.tif 000008
【図６】
2013168223.tif 000009
【図７】
2013168223.tif 000010
【図８】
2013168223.tif 000011